(57)【要約】【課題】  切り裂き方向にかかわらずにシートを容易に切り裂きでき、切り裂き後では手指等を傷付けることがないようにする。【解決手段】  プラスチック製シートケースまたは紙製シートケースに使用されるシート（１）を切り裂くことが可能な切り裂き構造Ｐとして、山部分２Ａ、谷部分２Ｂそれぞれが合致対向するよう互いに波の位相をずらした状態で略並行して近接配置した波線状の上下一対の切り込み部２と、上側の切り込み部２の山部分２Ａの頂点、下側の切り込み部２の谷部分２Ｂの底点それぞれに切り込み部２を形成しない不連続部分３とを備える。また、上側の切り込み部２の谷部分２Ｂの底点、下側の切り込み部２の山部分２Ａの頂点それぞれを円弧状に湾曲形成する。【選択図】      図２
2006036340.tif 000002
【特許請求の範囲】
【請求項１】
シートを切り裂くことが可能な切り裂き構造であって、山部分、谷部分それぞれが合致対向するよう互いに波の位相をずらした状態で略並行して近接配置させた波線状の上下一対の切り込み部と、上側の切り込み部の山部分の頂点、下側の切り込み部の谷部分の底点それぞれに切り込み部を形成しない不連続部分とを備えたことを特徴とするシートの切り裂き構造。
【請求項２】
上側の谷部分の底点、下側の山部分の頂点それぞれは円弧状に湾曲している請求項１記載のシートの切り裂き構造。
【請求項３】
シートは、プラスチック製または紙製のシートケースに使用されるものである請求項１または２記載のシートの切り裂き構造。
【請求項４】
シートを切り裂くことが可能な切り裂き構造の作製方法であって、連続した波の各頂点における刃先部分を切除して成る不連続波型状の抜き型刃を、互いに波の位相をずらして山部分、谷部分それぞれが合致対向するようシートに対して略並行配置した状態で押し込んで上下一対の切り込み部を形成し、上側に形成される切り込み部の山部分の頂点、下側に形成される切り込み部の谷部分の底点それぞれに切り込み部を形成しない不連続部分を配置形成することを特徴としたシートの切り裂き構造の作製方法。
【発明の詳細な説明】
【技術分野】
【０００１】
本発明は、例えばプラスチック製シートまたは紙製シート等によって形成された例えば菓子箱、化粧品箱、薬箱等のシートケースを箱状のままで切り裂き、開封が可能なシートの切り裂き構造とその作製方法に関するものである。
【背景技術】
【０００２】
従来から、例えばクリアパッケージ等のプラスチック製シート、または紙製シート等によって形成された密閉性のあるシートケース１として、開封されたか否かがわかるように切り裂き構造による開封手段を備えたものが提案されている。その切り裂き構造としては、当該シートケース１の例えば中央部分を周回するようにして形成された図４（ａ）に示すような上下に近接した一対のミシン刃形状の連続した切り込み部２、もしくは図４（ｂ）に示すような窄まり部分を不連続に配したジッパー形状の連続した切り込み部２等による切り裂き構造Ｐ部分を一端側から引き裂くことにより、当該シートケース１を破断して（図１参照）二つに折るようにあるいは切り分け、中身を取り出すのであった。
【特許文献１】特になし
【発明の開示】
【発明が解決しようとする課題】
【０００３】
しかしながら、従来における上記の切り裂き構造Ｐでは、シートケース１を箱状のまま上下もしくは左右等に切り裂くことは材料の性質上、容易には切り分けることができないものであった。例えばミシン刃状の形状の切り込み部２による切り裂き構造Ｐの場合では、切り裂き時にかかる力が切り裂き方向と同上側向にかかるために切り裂き難いものであった。また、ジッパー状等の形状の切り込み部２による切り裂き構造Ｐの場合では、切り裂き方向が一定方向でないと切り分け難いものとなり、しかも切り分けた時に切り残したシートのバリと称するノコギリ刃状の突起部分が残るため、シート自体がやや硬質な素材であるプラスチック製シートである場合は特に、これに手指を引っ掛けて当該手指を怪我してしまう虞れがあった。
【０００４】
そこで本発明は叙上のような従来存した諸事情に鑑み創出されたもので、各種の硬質材質によるシート、特に紙箱よりも切り裂き難い硬質な材料による例えばプラスチック材質によるクリアパッケージ等のシートケースを形成するシートであっても、切り裂き方向にかかわらずに容易且つ安全に当該シートを切り分けることができ、しかも切り分けた後で手指等を傷付けることがないようにしたシートの切り裂き構造とその作製方法を提供することを目的とする。
【課題を解決するための手段】
【０００５】
上述した課題を解決するため、本発明にあっては、シート（１）を切り裂くことが可能な切り裂き構造Ｐであって、山部分２Ａ、谷部分２Ｂそれぞれが合致対向するよう互いに波の位相をずらした状態で略並行して近接配置させた波線状の上下一対の切り込み部２と、上側の切り込み部２の山部分２Ａの頂点、下側の切り込み部２の谷部分２Ｂの底点それぞれに切り込み部２を形成しない不連続部分３とを備えたものである。
そして、上側の谷部分２Ｂの底点、下側の山部分２Ａの頂点それぞれは円弧状に湾曲しているものとすることができる。
また、シート（１）は、プラスチック製または紙製のシートケース１に使用されるものとできる。
さらに、シート（１）を切り裂くことが可能な切り裂き構造Ｐの作製方法であって、連続した波の各頂点における刃先部分を切除して成る不連続波型状の抜き型刃Ｑを、互いに波の位相をずらして山部分２Ａ、谷部分２Ｂそれぞれが合致対向するようシート（１）に対して略並行配置した状態で押し込んで上下一対の切り込み部２を形成し、上側に形成される切り込み部２の山部分２Ａの頂点、下側に形成される切り込み部２の谷部分２Ｂの底点それぞれに切り込み部２を形成しない不連続部分３を配置形成するものである。
【０００６】
以上のように構成された本発明に係るシートの切り裂き構造Ｐにあって、切り込み部２を形成しない不連続部分３を有する切り裂き構造Ｐは、切り裂き時にかかる力が切り裂き方向と略直角に作用するため、シート（１）に対し方向性にかかわらない切り分けを可能にさせると共に、切り裂き後には、波形に形成された破断縁部の窪み部分である下側の谷部分２Ｂ、上側の山部分２Ａにバリが形成されて手指に対する接触を防止させ、また下側の山部分２Ａの頂点、上側の谷部分２Ｂの頂点それぞれが湾曲しているため、手指に対する接触をソフトにさせる。
また、本発明に係るシートの切り裂き構造Ｐの作製方法にあって、連続した波の各頂点における刃先部分を切除して成る不連続波型状の抜き型刃Ｑは、互いに波の位相をずらした状態で上下一対となるようにシート（１）に押し込むことで、当該シート（１）に対する波状の切り込み部２の不連続部分３を連続形成させる。
【発明の効果】
【０００７】
本発明によれば、各種の硬質材質によるシート（１）、特に紙箱の素材に比し硬質で、切り裂き難い硬質な材料による例えばプラスチック材質によるクリアパッケージ等のシートケース１を形成するシート（１）であっても、切り裂き方向にかかわらずに容易且つ安全に当該シート（１）を切り分けることができ、しかも切り分けた後の切裂線である破断縁部における突部分は、下側では円弧状に湾曲した山部分２Ａ、上側では谷部分２Ｂそれぞれが連続するから、手指等を傷付けることがないようにすることができる。
【０００８】
すなわちこれは本発明が、山部分２Ａ、谷部分２Ｂそれぞれが合致対向するよう互いに波の位相をずらした状態で略並行して近接配置させた波線状の上下一対の切り込み部２と、上側の切り込み部２の山部分２Ａの頂点、下側の切り込み部２の谷部分２Ｂの底点それぞれに切り込み部２を形成しない不連続部分３とを備えたからであり、これにより、切り裂き時にかかる力が切り裂き方向と略直角に作用するものとなって、シート（１）に対し方向性にかかわらずに切り分けが可能となる。また、切り裂き後には、波形に形成された破断縁部の窪み部分である、下側の谷部分２Ｂ、上側の山部分２Ａそれぞれにバリが形成されるから、これらのバリは手指に触れ難いものとなって手指を傷付けるのを未然に防止でき、一方、破断縁部となる上側の谷部分２Ｂ、下側の山部分２Ａそれぞれは円弧状で、何等の突起部が形成されないため、手指にはソフトに接触させるのである。
【０００９】
また、シート（１）は、プラスチック製または紙製のシートケース１に使用されるので、材質の硬度に依らずに当該シートケース１を箱状のまま上下もしくは左右等に容易に切り裂くことができる。
【００１０】
さらに、連続した波の各頂点における刃先部分を切除して成る不連続波型状の抜き型刃Ｑを、互いに波の位相をずらして山部分２Ａ、谷部分２Ｂそれぞれが合致対向するようシート（１）に対して略並行配置した状態で押し込んで上下一対の切り込み部２を形成し、上側に形成される切り込み部２の山部分２Ａの頂点、下側に形成される切り込み部２の谷部分２Ｂの底点それぞれに切り込み部２を形成しない不連続部分３が配置形成されるので、切り裂き方向にかかわらずにシート（１）を切り分けることができる切り裂き構造Ｐが容易に形成することができる。
【００１１】
また、シート（１）は箱を構成するシートケース１に適用するのみならず、一般的な平坦状のシート部材に適用することも可能である。
【００１２】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１３】
以下図面を参照して本発明を実施するための最良の一形態を説明すると、図において示される符号１は、例えばプラスチック製シート、または紙製シート等によって密閉性のある箱状に形成されたシートケースであり、このシートケース１を箱状のまま上下もしくは左右等に切り裂くことで当該シートケース１を二つに折ったり、切り分けたりして開封することができるよう、箱体組立時のシートケース１を貫通するような不連続波線の破断部となって形成された切り裂き構造Ｐを備えている。
【００１４】
尚、本実施の形態においては、シートケース１に対して本発明の切り裂き構造Ｐを使用しているが、このようなケースとなるシートのみでなく、ケース以外に使用される各種のシートにおける切り裂き構造Ｐとしても利用可能であることは勿論である。
【００１５】
この切り裂き構造Ｐは、図１に示すように、矩形箱状に形成されたシートケース１側面の例えば中央部分もしくは左右いずれか側寄り部分において互いに略並行となって周回付設するようにした上下一対の不連続波線による切り込み部２によって形成されていて、この切り込み部２は、図２のシートケース１の展開図に示すように、例えばシートケース１中央における前面、左右側面、後面にわたって、例えば上下に近接した山部分２Ａ、谷部分２Ｂそれぞれが合致対向するように互いに波の位相をずらした状態で近接配置するように設けてある。
【００１６】
作製に際しては、図３に示すように、連続した波の各頂点における刃先部分を切除して成る不連続波型状の抜き型刃Ｑを、箱展開状態のシートケース１面に対し、互いに波の位相をずらした状態で、組立後における箱体の上下で一対にして近接配置されるように、作製するときの当該シートケース１の上方側に配した例えばプレス機（図示せず）等によって押し込むことで、ケース上側に形成配置される切り込み部２の山部分２Ａの頂点、下側に形成配置される切り込み部２の谷部分２Ｂの底点それぞれに切り込み部２を形成しない不連続部分３が配置形成されるようにしてある。尚、上下は、組立後における箱体における上下位置を示すのみであり、箱体が左右のものとなれば左右部として認識されるもので、相対的なものである。
【００１７】
そして、少なくとも上側の切り込み部２の谷部分２Ｂの底点、下側の切り込み部２の山部分２Ａの頂点それぞれ、すなわち切裂縁部において突状に突出する部分は円弧状に湾曲しており、手指等が触れることがあっても手指等が引っ掛からないようにしてある。
【００１８】
このとき切り込み部２は、シートケース１を貫通した波線の破断部となって形成されていても、切り込み部２を介しての上下側が前記不連続部分３によって繋がっているため、外部から強制的に切り裂き力をかけなければ容易に切離されないようにしてある。
【００１９】
また、シートケース１の糊代縁片部１Ａに対応する抜き型刃Ｑ部分は、当該糊代縁片部１Ａを直線状に破断するための直線刃Ｒとして形成しておく。この糊代縁片部１Ａは箱体組立時に箱体壁内面に接着されるから、切り裂き構造Ｐ位置に対応する部分は、切り裂きと同時に切離されるように切離線で区画された切離部１Ｂとなっている。また、切り裂き構造Ｐの一部には箱体の縁部に位置させて切り裂き開始端となるフラップ１Ｃを形成してある。
【００２０】
次に、本構成による切り裂き構造Ｐの作製方法について説明すれば、図３に示すように、連続した波の各頂点における刃先部分を硬度の高いカッター刃等で傷付け切欠する等適宜切除して成る不連続波型状の抜き型刃Ｑを例えばプレス機（図示せず）等のチャック部に装着しておく。そして、プレス機下方側にシートケース１を箱展開状態にして配置してておく。
【００２１】
プレス機下方側に配置させた展開状態のシートケース１に対し、抜き型刃Ｑが例えばシートケース１中央における前面、左右側面、後面にわたって対向配置し、抜き型刃Ｑの直線刃Ｒ部分がシートケース１の糊代縁片部１Ａに対向配置するようにしておく。そして、抜き型刃Ｑを、互いに波の位相をずらして上下で山部分２Ａ、谷部分２Ｂそれぞれが合致対向するよう対となる配置状態で押し込む。
【００２２】
こうして箱展開状態のシートケース１面に対し、互いに波の位相をずらした状態で上下一対の切り込み部２が略並行した状態で近接配置されると同時に箱体上側に位置して形成される切り込み部２の山部分２Ａの頂点、箱体下側に位置して形成される切り込み部２の谷部分２Ｂの底点それぞれに切り込み部２を形成しない不連続部分３が形成された状態となる。
【００２３】
また、シートケース１の糊代縁片部１Ａにおける切り込み部２は、抜き型刃Ｑの直線刃Ｒ部分によって直線状に破断可能な切離線で区画された切離部１Ｂとされ、箱体のいずれかの縁部位置に波線の切り込み部２を端から引き裂くための延長部となるフラップ１Ｃを形成する。
【００２４】
こうしてシートケース１は、箱形に組み立てられた状態で中身を取り出す際には、切り裂き構造Ｐにおける切り込み部２をフラップ１Ｃから引き剥がすことで当該シートケース１を二つに折ったり、切り分けたりするのである。このとき切り込み部２を形成しない不連続部分３によって、切り裂き時にかかる力が切り裂き方向と略直角に作用するものとなるため、シートケース１に対し方向性にかかわらずに切り裂きが可能となり、切り裂き後には、波形に形成された破断縁部の窪み部分、すなわち上側の切り込み部２ではその山部分２Ａに、下側の切り込み部２ではその谷部分２Ｂにバリが形成されるため、手指に対する鋭利部分の接触を防止させ、また、破断縁部に突出する部分、すなわち上側の切り込み部２ではその谷部分２Ｂに、下側の切り込み部２ではその山部分２Ａが湾曲状に突出されているために、手指にソフトに接触し、損傷させないのである。
【００２５】
尚、図示を省略したが、必要があれば、対状に並行配置される切り込み部２における山部分２Ａ、谷部分２Ｂそれぞれは全く並行状態に配置することも可能であるも、切り裂き構造Ｐの切離に際し、十分に注意しなければ切り込み部２外を不意に切裂させたり、切裂作業に若干の困難性を伴ったりするおそれがある。
【図面の簡単な説明】
【００２６】
【図１】本発明を実施するための最良の形態を示すシートケースの斜視図である。
【図２】同じくシートケースの展開図である。
【図３】切り裂き構造の作製方法を説明するための斜視図である。
【図４】従来例における切り裂き構造を示すもので、（ａ）は一対のミシン刃形状の連続した切り込み部による切り裂き構造の一部切欠平面図、（ｂ）はジッパー形状の連続した切り込み部による切り裂き構造の一部切欠平面図である。
【符号の説明】
【００２７】
Ｐ…切り裂き構造                        Ｑ…抜き型刃
Ｒ…直線刃
１…シートケース（シート）              １Ａ…糊代縁片部
１Ｂ…切離部                            １Ｃ…フラップ
２…切り込み部                          ２Ａ…山部分
２Ｂ…谷部分                            ３…不連続部分
【図１】
2006036340.tif 000003
【図２】
2006036340.tif 000004
【図３】
2006036340.tif 000005
【図４】
2006036340.tif 000006